(57)【要約】【課題】光ディスクのラベル表示部へサムネイル画やタイトル名などを書き込み、また、これを消去できる仕組みをもつ装置において、上記の仕組みの低コスト化が可能であるとともに、ラベル表示部への書き込み／消去の制御を簡単化できるようにすること。【解決手段】光ディスクには熱可逆性記録材料を用いたラベル表示部が設けられており、情報記録再生装置は、例えば、光ディスクに新たな情報ファイルを記録した場合、および、光ディスクに記録されていた情報ファイルを削除した場合には、その操作毎に自動的に、ラベル表示部の半径方向に延設されたサーマルヘッドによって、ラベル表示部に書き込まれたサムネイル画やタイトル名を一括して全面消去した後、光ディスクから読み出したサムネイル画やタイトル名をサーマルヘッドによってラベル表示部に書き込む。【選択図】図７
2007287294.tif 000002
【特許請求の範囲】
【請求項１】
映像音声データを光ディスクに記録して再生可能な情報記録再生装置において、
記録再生可能な光ディスクからサムネイル画やタイトル名の情報を読み出し、その読み出されたサムネイル画またはタイトル名のうちの少なくとも一方を、ディスクのラベル表示部に書き込み／消去するための手段を備えたことを特徴とする情報記録再生装置。
【請求項２】
請求項１に記載の情報記録再生装置において、
読み出されたサムネイル画の数と前記光ディスクのラベル表示部の面積を考慮し適切な大きさにサムネイル画を制御し、光ディスクのラベル表示部にサムネイル画を書き込むことを特徴とする情報記録再生装置。
【請求項３】
請求項２に記載の情報記録再生装置において、
前記光ディスクには、第１の温度による加熱で発色し第２の温度による加熱で透明になる熱可逆性記録材料を用いたシートが貼付されるか、または、前記熱可逆性記録材料を用いた被膜が被着されることで、前記ラベル表示部が形成されていることを特徴とする情報記録再生装置。
【請求項４】
請求項３に記載の情報記録再生装置において
前記光ディスクに新たな情報ファイルを記録した場合、および、前記光ディスクに記録されていた情報ファイルを削除した場合には、その操作毎に自動的に、前記ラベル表示部に書き込まれたサムネイル画やタイトル名を一括して全面消去し、前記光ディスクに現在記録されている情報ファイルに対応したサムネイル画やタイトル名を前記ラベル表示部に新たに書き込むことを特徴とする情報記録再生装置。
【請求項５】
請求項３に記載の情報記録再生装置において
前記ラベル表示部に書き込まれた表示の再書き込みのユーザ指令を受けた場合、前記ラベル表示部に書き込まれたサムネイル画やタイトル名を一括して全面消去し、前記光ディスクに現在記録されている情報ファイルに対応したサムネイル画やタイトル名を前記ラベル表示部に新たに書き込むことを特徴とする情報記録再生装置。
【請求項６】
請求項４または５に記載の情報記録再生装置において、
前記光ディスクのラベル表示部の半径方向に延設されたサーマルヘッドにより、前記ラベル表示部への書き込み、消去を行うことを特徴とする情報記録再生装置。
【請求項７】
請求項３に記載の情報記録再生装置において、
前記熱可逆性記録材料を用いたシートまたは被膜には、サムネイル画、タイトル名以外の情報が書き込み／消去されることを特徴とする情報記録再生装置。
【発明の詳細な説明】
【技術分野】
【０００１】
本発明は、映像音声信号などをデジタルデータで光ディスクに記録再生する情報記録再生装置における、ディスクのラベル表示部へのサムネイル画やタイトル名の書き込み／消去にかかわる技術に関する。
【背景技術】
【０００２】
現在、映像信号や音声信号などを記録再生可能な記録媒体として、ＣＤ−Ｒ、ＣＤ−ＲＷ、ＤＶＤ−Ｒ、ＤＶＤ−ＲＷ、ＭＤ、ビデオカセットなどがあり、個々それぞれの用途に応じて楽しんでいる。しかし、それぞれの記録媒体にどのような番組やタイトルが記録されているかは、記録媒体の対応機器を操作しなければ詳細な内容が把握できないという問題があった。
【０００３】
この問題を解決するために、例えば特許文献１（特開平１１−２８３３５６号公報）に開示されている手法では、ディスクメディアに熱可逆性記録材料からなるラベルを貼付し、光ピックアップまたは発熱素子によってラベルへの記録消去を行っている。熱可逆性記録材料は、加熱によって透明度や色調が可逆的に変化し、常温では透明度や色調が保持される。例えば図９に示すように、熱可逆性記録材料は、温度Ｔ２から温度Ｔ３の間に加熱すると透明になり、その後温度Ｔ０以下の常温に戻っても透明状態が保持される。そして、温度Ｔ４以上に加熱すると半透明状態になり、その後温度Ｔ０以下の常温に戻ると白濁する。よって、白濁化させることで書き込みされたことになり、透明化することで消去となる。
【０００４】
特許文献１では、ラベルに情報を記録または消去する手法として、図１０に示すように、光ピックアップ１１２に記録消去ヘッド１１３を取り付け、光ピックアップ１１２の駆動を利用して、光ディスク１１０に貼付されたラベル１１１への記録消去を行う手法や、光ピックアップを熱源にして、ラベル１１１へ記録消去を行う手法が提案されている。また、図１１に示すように、光ディスク１１０を挟んで光ピックアップ１１２と反対側の面側に、ネジナット機構１１６により直線移送される記録消去ヘッド１１７と、ネジナット機構１１６を駆動するモータ１１８を設け、モータ１１８により記録消去ヘッド１１７の位置の制御を行って、ラベル１１１への情報の記録や消去を行う手法も示されている。
【０００５】
また、透明の２枚のシートの間に電気信号を印加することで表示可能な材料を挟み込んだもので構成され、電極に電気信号を印加することで情報を表示させる、いわゆる電子ペーパーの技術も知られている。特許文献２（特開２００３−３３１５６０号公報）に開示されている手法は、上記の電子ペーパーを、記録媒体のラベル表示に適用したものである。
【０００６】
特許文献２では、例えば光ディスクに適用する場合、図１２、図１３に示すように、円盤状の表示ラベル（電子ペーパー）１２１を光ディスク１２０に貼り付けてそれに記録媒体端子１２２を設け、この記録媒体端子１２２に電気信号を印加するための信号印加装置１２３を、記録再生装置に設けることで、任意の情報を信号印加装置１２３から表示ラベル（電子ペーパー）１２１に書き込み、消去できるようにしている。
【特許文献１】特開平１１−２８３３５６号公報
【特許文献２】特開２００３−３３１５６０号公報
【発明の開示】
【発明が解決しようとする課題】
【０００７】
しかしながら、特許文献１における前記した図１０に示した手法では、光ピックアップ１１２に記録消去ヘッド１１３を取り付け、光ディスク１１０に貼り付けられた熱可逆性記録材料からなるラベル１１１に、記録消去ヘッド１１３で必要な情報を書き込み、不要な情報を消去して表示させるが、ラベル１１１のどの位置に情報を記録させるか、また消去したい情報がラベル１１１のどの位置に記録されているかなど、位置情報を正確に管理する必要がある。このため、例えばディスクにたわみが生じたり記録消去ヘッド１１３の制御が不正確な場合には、情報が正確に記録できない、あるいは、消去したい情報が完全に消去できないという懸念がある。また、記録消去ヘッド１１３は、ディスクメディアを挟んでラベル１１１と反対側に設置されているため、ラベル１１１に対して情報の記録消去を行うためにはかなりの熱量が必要となる。さらに、この記録消去ヘッド１１３が光ピックアップ１１２のそばに配置されるため、この熱源が光ピックアップ１１２になんらかの影響を及ぼし、光ピックアップ１１２の動作信頼性が低下することも懸念される。
【０００８】
また、特許文献１における前記した図１１に示した手法では、ラベル面と同じ面に新に記録消去ヘッドユニットを追加する構成が提案されている。しかし、この図１１に示した手法であっても、図１０に示した手法と同様に、記録消去ヘッド１１７で必要な情報を書き込み、不要な情報を消去して表示させためには、ラベル１１１のどの位置に情報を記録させるか、また消去したい情報がラベル１１１のどの位置に記録されているかなど、位置情報を正確に管理する必要がある。
【０００９】
一方、引用文献２に示された手法では、前記した図１２に示したように、光ディスク１２０に貼り付ける表示ラベル１２１として、電気信号を印加するためにシート間に電気的に変化する材料を挟み込み、かつ、電気信号を印加するための記録媒体端子１２２を設けた特殊な表示ラベルを用いているため、表示ラベル１２１自体の価格が高く、コスト的に不利である。また、前記した図１３に示したように、電気信号を印加するための信号印加装置１２３が新たに必要となる上、この信号印加装置１２３を駆動させるための機構がさらに必要となり、記録再生システム全体の規模が大きくなって、表示ラベル１２１と同様にコスト的に不利である。
【００１０】
本発明は、上記の点に鑑みなされたもので、その目的とするところは、光ディスクを再生操作することなしに光ディスクに記録された情報の内容を簡単に把握できるように、光ディスクのラベル表示部へのサムネイル画やタイトル名などを書き込み、また、これを消去できる仕組みをもつ情報記録再生装置において、上記の仕組みの低コスト化が可能であるとともに、サムネイル画やタイトル名などを書き込み／消去の制御を簡単化できるようにすることにある。
【課題を解決するための手段】
【００１１】
本発明は上記した目的を達成するため、ＴＶ放送番組などを光ディスクに記録して再生可能な情報記録再生装置において、光ディスクには、第１の温度による加熱で発色し第２の温度による加熱で透明になる熱可逆性記録材料を用いたシートが貼付されるか、または、上記の熱可逆性記録材料を用いた被膜が被着されることで、ラベル表示部が形成されており、情報記録再生装置は、例えば、光ディスクに新たな情報ファイルを記録した場合、および、光ディスクに記録されていた情報ファイルを削除した場合には、その操作毎に自動的に、ラベル表示部の半径方向に延設されたサーマルヘッドによって、ラベル表示部に書き込まれたサムネイル画やタイトル名を一括して全面消去し、また、光ディスクから読み出したサムネイル画やタイトル名を、上記のサーマルヘッドによってラベル表示部に書き込むことで、光ディスクに現在記録されている情報ファイルに対応したサムネイル画やタイトル名をラベル表示部に表示させる。
【発明の効果】
【００１２】
本発明によれば、光ディスクから読み出したサムネイル画やタイトル名を、光ディスクのラベル表示部に書き込むことで、光ディスクに現在記録されている情報ファイルに対応したサムネイル画やタイトル名をラベル表示部に表示させるので、光ディスクを再生操作することなしに、光ディスクに記録された情報の内容を簡単・容易に把握することができ、特に、サムネイル画を表示させるとサムネイル画により直感的に内容を推測することができる。また、光ディスクに新たな情報ファイルを記録した場合、および、光ディスクに記録されていた情報ファイルを削除した場合には、自動的に、ラベル表示部に書き込みを行うので、ユーザはラベル表示部の表示書き替えを全く意識する必要がなく、したがって、ユーザフレンドリィな情報記録再生装置とすることができる。また、ラベル表示部に書き込まれたサムネイル画やタイトル名を一括して全面消去した後、ラベル表示部に書き込みを行うので、ラベル表示部に書き込まれていたサムネイル画やタイトル名などの位置情報を取得・管理する必要がなくなり、サムネイル画やタイトル名などを消去する制御をきわめて簡単化できる。また、ラベル表示部の半径方向に延設されたサーマルヘッドによって、消去や書き込みを行うので、光ディスクを１回転させるだけで、消去または書き込みが行え、この点でも制御を簡単化できる。また、熱可逆性記録材料を用いたラベル表示部は、電子ペーパーを用いた構成に比すと大幅に安価であり、また、サーマルヘッドも比較的に安価であること、並びに、上記した制御の簡単化によるコストダウン効果によって、コスト的にも有利なものとすることができる。
【発明を実施するための最良の形態】
【００１３】
以下、本発明の実施の形態を、図面を用いて説明する。
【００１４】
図１は、本発明の１実施形態（以下、本実施形態と記す）に係る情報記録再生装置の要部構成を示す図であり、図２は、本実施形態の情報記録再生装置の制御系の要部構成を示すブロック図である。
【００１５】
図１、図２に示す光ディスク１は、例えば書き換え可能なまたは１度だけ書き込み可能な光ディスクであり、この光ディスク１には映像音声信号などが記録可能となっている。光ディスク１の一面（レーザ光の照射面と反対側の面）には、フィルム状の表示シート２が貼付されていて、このフィルム状の表示シート２は熱可逆性記録材料からなるシートからなっており、表示シート２によってラベル表示部が構成されている。熱可逆性記録材料は、図８に示すように、記録（書き込み）に必要な温度（融点）まで加熱すると、溶け合った状態となり、この状態で急激に冷却すると混ざり合ったまま結晶化して、発色状態を保持する。一方、消色領域の温度まで加熱し時間をかけて冷却すると、熱可逆性記録材料は混ざった状態から分離して結晶化するため、発色を保てないことになる。図１、図２で示した例では、表示シート２を接着剤などで光ディスク１に貼り付けるようにしているが、あらかじめ光ディスクの一面に熱可逆性記録材料を塗布することで、熱可逆性記録材料の被膜を形成し、この被膜をラベル表示部とする構成であっても構わない。
【００１６】
表示シート２と対向するサーマルヘッド３は、表示シート２の半径と略等しい長さに発熱素子を配列したライン型のサーマルヘッドとなっており、ヘッドコントローラ４によってサーマルヘッド３を温度コントロールして、図８に示したような、印字（書き込み）工程の温度制御や、消去工程の温度制御を実施することで、表示シート２に対して消去や書き込みを行う。この消去や書き込みに際しては、光ディスク１は低速で回転駆動される。
【００１７】
次に、映像音声データなどの光ディスク１への記録再生について説明する。光ピックアップ６は、サーボ回路９で制御されるピックアップモータ７によって、光ディスク１の半径方向に沿って自在に動くように駆動制御され、また、光ディスク１は、サーボ回路９で制御されるスピンドルモータ１０によって、回転駆動される。光ディスク１の回転制御と光ピックアップ６の直線移送制御により、光ピックアップ６は、光ディスク１のデータ記録面の任意の位置に対して相対移動し、記録時には、制御回路１１から記録データ（映像音声情報の情報ファイルデータ）が変復調回路８に入力されて、これに応じて光ピックアップ６からのレーザ光が対物レンズ５を通して、光ディスク１のデータ記録面に照射されることで、情報ファイルデータの光ディスク１への記録が行われる。また、再生時には、サーボ回路９が、再生されて制御回路１１から出力される情報ファイルデータの位置情報を元に、所定の位置までピックアップモータ７により光ピックアップ６を移動させ、光ディスク１のデータ記録面における所望の情報ファイルデータの先頭が、光ピックアップ６の位置に合致した時点から、再生動作が行われて、光ピックアップ６から照射されて光ディスク１から反射された光を光ピックアップ６で受光することで、再生信号は変復調回路８から制御回路１１に出力される。なお、記録時や再生時には、光ピックアップ６はトラッキング信号やフォーカシング信号などの各種信号の送受光を行い、制御回路１１によってトラッキング制御やフォーカス制御などの制御を行うことで、安定した記録動作や再生動作を実現できるようになっている。
【００１８】
次に、表示シート２にサムネイル画やタイトル名などを書き込む（記録する）動作について、図３〜図７を用いて説明する。図３は、本実施形態の情報記録再生装置をＴＶモニタに接続した状態を示す図であり、図４は、表示シート２に書き込みを行っている様子を示す図であり、図５、図６は、表示シート２に書き込まれて表示された情報の例を示す図であり、図７は、本実施形態の情報記録再生装置による処理の流れを示すフローチャートである。
【００１９】
情報記録再生装置１２をＴＶモニタ１３に接続した状態において、記録再生装置１２に光ディスク１を挿入し、ＴＶモニタ１３に表示された操作ガイダンス画面と対話式に、リモコン操作によってユーザが、光ディスク１に新たな情報ファイル（映像音声情報の情報ファイルデータ）の記録を指示したか否か、または、光ディスク１に記録されている情報ファイルの削除を指示したか否かを判定する（図７のステップＳ１）。ステップＳ１でＹＥＳ判定されるとステップＳ２に進んで、ステップＳ２において、ユーザの指示に基づく光ディスク１への新たな情報ファイルの記録処理、または、光ディスクからの指定された情報ファイルの削除処理を行った後、ステップＳ４に進む。一方、ステップＳ１でＮＯ判定されるとステップＳ３に進み、ステップＳ３において、表示シート２に書き込まれた表示の再書き込みの指示をユーザが行ったか否かを判定し、ＹＥＳ判定されるとステップＳ４に進み、ＮＯ判定されると図７の処理フローを終了する。ステップＳ３の判定処理は、光ディスク１への新たな情報ファイルの記録や、光ディスク１からの記録済みの情報ファイルの削除を行わない場合であっても、例えば表示シート２に表示されているサムネイル画などが薄くなって見えにくくなっている際に、ユーザがサムネイル画などの再書き込みを指示できるようにするために設けられている。
【００２０】
ステップＳ４においては、光ディスク１から各情報ファイルに対応するサムネイル画やタイトル名を読み込んで、これを取得する。また、ステップＳ４では、同時に、光ディスク１の記録可能時間やディスクの種類などの各情報も取得する。このとき例えば、情報記録再生装置１２が光ディスク１から読み込んだサムネイル画を、図３に示すようにＴＶモニタ１３上に表示させるようにしてもよく、図３に示した例では、５つのサムネイル画がＴＶモニタ１３上に表示されている。
【００２１】
ステップＳ４の後はステップＳ５において、読み込まれたサムネイル画の数を把握し、次にステップＳ６において、サムネイル画の数などと表示シート２の面積とから、表示シート２に書き込みするサムネイル画の配置と大きさを演算・決定するとともに、タイトル名の配置位置や、記録可能時間やディスクの種類などの配置位置を演算・決定する。
【００２２】
ステップＳ６の後はステップＳ７において、表示シート２に現在書き込まれている（表示されている）サムネイル画やタイトル名などの表示情報を、一括して全面消去して、次にステップＳ８に進む。この表示情報の一括全面消去は、表示シート２の半径方向に延設されたサーマルヘッド３を消去駆動モードとして、光ディスク１を低速で１回転させることにより行われ、表示シート２の全面を透明な状態にする。
【００２３】
次に、ステップＳ８において、ステップＳ４で取得したサムネイル画、タイトル名、記録可能時間、ディスクの種類などの各情報を、ステップＳ６における演算結果にしたがって、制御回路１１が、ヘッドコントローラ４を介してサーマルヘッド３により、表示シート２に書き込ませる。このサムネイル画、タイトル名などの書き込み（印刷記録）は、表示シート２の半径方向に延設されたサーマルヘッド３の各発熱素子を印刷駆動モードで適宜に選択駆動しつつ、光ディスク１を低速で１回転させることにより行われる。図４は、光ディスク１を回転させつつ、サーマルヘッド３により、サムネイル画、タイトル名、記録可能時間、ディスクの種類などの各情報を、順次、表示シート２に書き込んでいる状態を示している。
【００２４】
図５は、表示シート２に書き込まれた表示情報の１例を示す図で、図５に示した本例では、５つのサムネイル画とタイトル名、および、空き容量が表示されている。図６は、表示シート２に書き込まれた表示情報の他の１例を示す図で、図６に示した本例では、５つのタイトル名、および、空き容量が表示されている。なお、表示シート２に書き込んで表示する表示情報の種別は、図５、図６以外にも、サムネイル画と空き容量とするなど、任意の形態とすることができ、ユーザが表示する表示情報の種別をあらかじめ選択できるようにしてもよい。あるいは、光ディスク１に収録された情報ファイルの数に応じて、情報ファイルの数が少ない場合にはサムネイル画とタイトル名を表示し、情報ファイルの数が多い場合にはタイトル名のみを表示するなど、システム側で自動的に切り替えるようにしてもよい。なおまた、表示シート２への表示情報の配置パターンについても複数パターンを用意しておき、ユーザが好みの配置パターンをあらかじめ選択できるようにしてもよい。
【００２５】
以上のように本実施形態では、光ディスク１から読み出したサムネイル画やタイトル名を、光ディスク１の表示シート２に書き込むことで、光ディスク１に現在記録されている情報ファイルに対応したサムネイル画やタイトル名を表示シート２に表示させるので、光ディスク１を再生操作することなしに、光ディスク１に記録された情報の内容を簡単・容易に把握することができ、特に、サムネイル画を表示させるとサムネイル画により直感的に内容を推測することができる。また、光ディスク１に新たな情報ファイルを記録した場合、および、光ディスク１に記録されていた情報ファイルを削除した場合には、自動的に、表示シート２に書き込みを行うので、ユーザは表示シート２の表示書き替えを全く意識する必要がなく、したがって、ユーザフレンドリィな情報記録再生装置１２とすることができる。また、表示シート２に書き込まれたサムネイル画やタイトル名を一括して全面消去した後、表示シート２に書き込みを行うので、表示シート２に書き込まれていたサムネイル画やタイトル名などの位置情報を取得・管理する必要がなくなり、サムネイル画やタイトル名などを消去する制御をきわめて簡単化できる。また、表示シート２の半径方向に延設されたサーマルヘッド３によって、消去や書き込みを行うので、光ディスク１を１回転させるだけで、消去または書き込みが行え、この点でも制御を簡単化できる。また、熱可逆性記録材料を用いた表示シート２は、電子ペーパーを用いた構成に比すと大幅に安価であり、また、サーマルヘッド３も比較的に安価であること、並びに、上記した制御の簡単化によるコストダウン効果によって、コスト的にも有利なものとすることができる。さらにまた、表示シート２に表示されているサムネイル画などが薄くなって見えにくくなっている際に、ユーザがサムネイル画などの再書き込みを指示できるようにしているので、この点でもユーザフレンドリィなものとなる。
【図面の簡単な説明】
【００２６】
【図１】本発明の一実施形態に係る情報記録再生装置の要部構成を示す説明図である。
【図２】本発明の一実施形態に係る情報記録再生装置の制御系の要部構成を示すブロック図である。
【図３】本発明の一実施形態に係る情報記録再生装置をＴＶモニタに接続した状態を示す説明図である。
【図４】本発明の一実施形態に係る情報記録再生装置が取り扱う光ディスクの表示シートに書き込みを行っている様子を示す説明図である。
【図５】本発明の一実施形態に係る情報記録再生装置が取り扱う光ディスクの表示シートに書き込まれた（表示された）表示情報の１例を示す説明図である。
【図６】本発明の一実施形態に係る情報記録再生装置が取り扱う光ディスクの表示シートに書き込まれた（表示された）表示情報の他の１例を示す説明図である。
【図７】本発明の一実施形態に係る情報記録再生装置における、表示シートへの書き込み処理の流れを示すフローチャートである。
【図８】本発明の一実施形態に係る情報記録再生装置が取り扱う光ディスクの表示シートの材料である熱可逆性記録材料の特性を示す説明図である。
【図９】熱可逆性記録材料の記録（書き込み）／消去のプロセス図である。
【図１０】従来技術による録再生装置の構成例を示す説明図である。
【図１１】従来技術による録再生装置の構成例を示す説明図である。
【図１２】従来技術による電子ペーパーを用いた光ディスクの表示ラベルを示す説明図である。
【図１３】従来技術による録再生装置の構成例を示す説明図である。
【符号の説明】
【００２７】
１  光ディスク
２  表示シート（ラベル表示部）
３  サーマルヘッド
４  ヘッドコントローラ
５  対物レンズ
６  光ピックアップ
７  ピックアップモータ
８  変復調回路
９  サーボ回路
１０  スピンドルモータ
１１  制御回路
【図１】
2007287294.tif 000003
【図２】
2007287294.tif 000004
【図３】
2007287294.tif 000005
【図４】
2007287294.tif 000006
【図５】
2007287294.tif 000007
【図６】
2007287294.tif 000008
【図７】
2007287294.tif 000009
【図８】
2007287294.tif 000010
【図９】
2007287294.tif 000011
【図１０】
2007287294.tif 000012
【図１１】
2007287294.tif 000013
【図１２】
2007287294.tif 000014
【図１３】
2007287294.tif 000015